(57)【要約】【課題】  発振信号を出力する発振信号出力装置において、電力効率を改善し、発振周波数の高速化を可能にする。【解決手段】  発振器１は、電源Ｖｄｄの電力の供給によって発振信号を出力する。抵抗Ｒ１は、発振器１と電源Ｖｄｄの間に接続されている。パルス信号発生器２は、発振器１と電源Ｖｄｄの間に接続され、Ｌレベルのパルス信号によって発振器１に電力が供給されるようにしている。これにより、発振器１は、パルス信号に応じて電源がオン／オフされるので、電力効率を改善することができる。また、抵抗Ｒ１は、発振器１の発振の立下りを速やかに行うようにするので、発振器１に高速の発振器を用いることが可能となり、発振周波数の高速化が可能となる。【選択図】  図１
2007028154.tif 000002
【特許請求の範囲】
【請求項１】
発振信号を出力する発振信号出力装置において、
電力の供給に応じて前記発振信号を出力する発振器と、
前記発振器と前記電力を供給する電源の間に接続される抵抗と、
前記発振器と前記電源の間に接続され、パルス信号に応じて前記発振器に前記電力が供給されるようにするパルス信号発生器と、
を有することを特徴とする発振信号出力装置。
【請求項２】
前記発振器は、コルピッツ型発振器であることを特徴とする請求項１記載の発振信号出力装置。
【請求項３】
前記発振器は、２つのトランジスタが交互に作動することによって前記発振信号を出力する平衡型発振器であり、
前記２つのトランジスタの間には、前記２つのトランジスタが前記発振信号の半周期ずれて作動するための遅延回路が接続されていることを特徴とする請求項１記載の発振信号出力装置。
【請求項４】
前記平衡型発振器は、マルチバイブレータであることを特徴とする請求項３記載の発振信号出力装置。
【請求項５】
前記平衡型発振器の素子の一部および前記遅延回路は、トランスミッションラインによって構成されていることを特徴とする請求項３記載の発振信号出力装置。
【発明の詳細な説明】
【技術分野】
【０００１】
本発明は発振信号出力装置に関し、特に無線通信のために発振信号を出力する発振信号出力装置に関する。
【背景技術】
【０００２】
無線には、通常のＣＷ無線（ＣＷ：Continuous Wave）と、ＵＷＢ（Ultra Wide Band）などに用いられるインパルス無線とが知られている。これらの無線は、例えば、ＩＣ（Integrated Circuit）やＩＣ内部、カード間など、密集した多数の送信局から、必要に応じて短いメッセージを送る場合などにも適用されている。
【０００３】
ＣＷ無線は、一般に無線送信の休止期間（データの送信を行わないとき）にも発振動作しているので電力効率が低い。また、前述したように無線通信装置が狭いエリアに多数密集して存在する場合、不要放射の影響が避けられず、他局間の通信が妨げられる。なお、このような不要放射を防ぐために送信時にだけ動作する発振器がある（例えば、非特許文献１参照）。
【非特許文献１】A. P.S. Khanna,R.T.Oyafuso,R.Soohoo and J.Huynh,"Microwave Quenchable Oscillators-A New Class",pp515-518,1989 IEEE MTT-S Digest
【発明の開示】
【発明が解決しようとする課題】
【０００４】
このように、従来では、無線通信を行うための発振信号を常時出力するため電力効率が低いという問題点があった。
また、非特許文献１に示す発振器では、発振を速やかに停止させることができず、発振周波数の高速化が困難であるという問題点があった。
【０００５】
本発明はこのような点に鑑みてなされたものであり、電力効率を改善し、発振周波数の高速化を可能にした発振信号出力装置を提供することを目的とする。
【課題を解決するための手段】
【０００６】
本発明では上記問題を解決するために、図１に示すような発振信号を出力する発振信号出力装置において、電力の供給に応じて発振信号を出力する発振器１と、発振器１と電力を供給する電源Ｖｄｄの間に接続される抵抗Ｒ１と、発振器１と電源Ｖｄｄの間に接続され、パルス信号に応じて発振器１に電力が供給されるようにするパルス信号発生器２と、を有することを特徴とする発振信号出力装置が提供される。
【０００７】
このような発振信号出力装置によれば、発振器１は、パルス信号発生器２のパルス信号に応じて電力が供給され、発振信号を出力する。これにより、発振器１はパルス信号に応じて発振信号を出力する。また、発振器１と電源Ｖｄｄの間に接続される抵抗Ｒ１は、発振器１の発振信号の立下りを速やかに行うようにする。
【発明の効果】
【０００８】
本発明の発振信号出力装置では、発振器は、パルス信号発生器のパルス信号に応じて電力が供給され、発振信号を出力するようにした。これによって、発振器は、パルス信号に応じて発振信号を出力するので、電力効率を改善することができる。また、発振器と電源の間に接続される抵抗は、発振器の発振信号の立下りを速やかに行うようにするので、発振器に高速の発振器を用いることが可能となり、発振周波数の高速化が可能となる。
【発明を実施するための最良の形態】
【０００９】
以下、本発明の原理を図面を参照して詳細に説明する。
図１は、発振信号出力装置の概要を示した図である。図に示すように発振信号出力装置は、発振器１、抵抗Ｒ１、およびパルス信号発生器２を有している。
【００１０】
発振器１は、電源Ｖｄｄの電力が供給されて発振動作し、発振信号（無線送信される無線信号）を出力する。発振器１は、電源Ｖｄｄの正側とは、直接接続されており、電源Ｖｄｄの負側（グランド）とは、抵抗Ｒ１とパルス信号発生器２を介して接続されている。
【００１１】
パルス信号発生器２は、例えば、無線送信すべきデータを変調したパルス信号（変調信号）を出力する。パルス信号発生器２の変調信号を出力する出力端子の一方は、抵抗Ｒ１の一端と接続され、他端は、グランドに接続されている。よって、パルス信号発生器２から出力される変調信号がＬレベル（グランドレベル）のとき、発振器１に電源Ｖｄｄが供給され、発振動作する。一方、変調信号がＨレベルのとき、発振器１には電源Ｖｄｄの電力は供給されず、発振動作しない。すなわち、変調信号のＨレベルおよびＬレベルに応じて、発振器１から発振信号が出力される。これによって、Ｌレベルの変調信号を無線送信するときだけ、発振器１は動作するので、電力効率を改善でき、また、不要放射を低減することができる。
【００１２】
ところで、数十Ｍｂｐｓの高い変調速度を得るためには、発振器１の発振信号を出力するときの発振の立上りを速やかにする必要がある。発振器１は、発振周波数成分の小さな熱ノイズを増幅し、発振周波数の信号を得るので、発振周波数での電力利得を高くする必要がある。そこで、発振器１は、発振周波数に比して最大周波数ｆｍａｘに余裕のある素子を用いる。例えば、材料的には、ガリウムヒ素やインジウムリンなどの化合物半導体素子を用い、構造的には、ＭＥＳＦＥＴ（Metal Semiconductor Field Effect Transistor）やＨＥＭＴ（High Electron Mobility Transistor）、ＨＢＴ（Heterojunction Bipolar Transistor）の能動素子を用いる。また、後述するように回路的に能動素子を直列接続して利得を上げ、帰還量を大きくとるようにすることもできる。なお、最大周波数ｆｍａｘとは、電力利得が１となる周波数、すなわち、発振できなくなる周波数をいう。
【００１３】
また、高い変調速度を得るためには、発振信号の出力を停止するときの立下りを速やかにする必要がある。抵抗Ｒ１は、発振器１の有するタンク回路（共振回路、例えば、ＬＣ回路）に蓄えられるエネルギーを抑制し、発振信号の出力を停止したときに、タンク回路に蓄えられているエネルギーが速やかに解放されるようにして、発振信号の立下りが速やかに行われるようにしている。また、抵抗Ｒ１は、発振信号の出力を停止したときに、タンク回路に蓄えられるエネルギーを消費し、発振信号の出力を停止するときの立下りが速やかに行われるようにしている。ただし、抵抗Ｒ１の抵抗値を大きくすると、発振器１のタンク回路にエネルギーが蓄えられにくくなり、発振の立上りが遅くなる。従って、発振の立上りと立下りを考慮して、抵抗Ｒ１の抵抗値を決める必要がある。
【００１４】
このように、発振器１は、パルス信号に応じて電源がオン／オフされ、発振信号を出力するので、電力効率を改善することができる。また、抵抗Ｒ１は、発振器１の発振の立下りを速やかに行うので、発振器１に高速の発振器を用いることが可能となり、発振周波数の高速化が可能となる。
【００１５】
なお、パルス信号発生器２を、電源Ｖｄｄの正側と、発振器１の電源Ｖｄｄが供給される正側端子との間に接続するようにしてもよい。この場合、パルス信号発生器２から出力される変調信号がＨレベルのとき、発振器１に電源が供給されて発振動作をする。
【００１６】
次に、本発明の発振信号出力装置を無線通信装置に適用した場合の実施の形態を、図面を参照して詳細に説明する。
図２は、第１の実施の形態に係る無線通信装置の回路図である。図に示すように無線送信装置は、抵抗Ｒ１１〜Ｒ１３、コンデンサＣ１１〜Ｃ１４、コイルＬ１１、トランジスタＭ１１、および変調信号発生器１１を有している。
【００１７】
トランジスタＭ１１は、例えば、ＭＥＳＦＥＴやＨＥＭＴのトランジスタである、トランジスタＭ１１のゲートには、一端にバイアス電圧Ｖｂが入力される抵抗Ｒ１１と、一端がグランドに接続されたコンデンサＣ１１が接続されている。トランジスタＭ１１のドレインは、コイルＬ１１を介して電源Ｖｄｄに接続される。トランジスタＭ１１のソースは、抵抗Ｒ１２と変調信号発生器１１を介して、グランドに接続される。トランジスタＭ１１のドレインとソースの間には、コンデンサＣ１２が接続され、ソースとグランドの間には、コンデンサＣ１３が接続されている。なお、トランジスタＭ１１は、ＨＢＴのトランジスタであってもよい。
【００１８】
抵抗Ｒ１１、コンデンサＣ１１〜Ｃ１３、コイルＬ１１、トランジスタＭ１１は、コルピッツ型発振器を構成している。コルピッツ型発振器は、トランジスタＭ１１とコンデンサＣ１２の負性抵抗の作用により発振し、コンデンサＣ１４を介して発振信号（無線送信される無線信号）を、負荷である抵抗Ｒ１３に出力する。なお、発振信号の周波数ｆは、次の式（１）で示される。
【００１９】
ｆ＝１／｛２π（ＬＣ）1/2｝……（１）
ただし、ＬはコイルＬ１１のインダクタンスである。ＣはコンデンサＣ１２，Ｃ１３の容量値をＣ１，Ｃｃとすると次の式（２）で示される。
【００２０】
Ｃ＝１／｛（１／Ｃ１）＋（１／Ｃｃ）｝……（２）
コルピッツ型発振器は、変調信号発生器１１から出力される変調信号がＬレベル（電源Ｖｄｄのグランドレベル）のとき、電源Ｖｄｄの電力が供給され、発振動作をする。変調信号発生器１１から出力される変調信号がＨレベルのときは、電源Ｖｄｄの電力はコルピッツ型発振回路に供給されず、発振動作をしない。
【００２１】
抵抗Ｒ１２は、コルピッツ型発振器のタンク回路（コイルＬ１１とコンデンサＣ１２，Ｃ１３のＬＣ回路）に蓄えられるエネルギーを抑制し、発振信号の出力を停止したときに、発振信号の立下りが速やかに行われるようにしている。また、抵抗Ｒ１２は、発振信号の出力を停止したときに、タンク回路に蓄えられるエネルギーを速やかに消費し、発振信号の出力を停止するときの立下りが速やかに行われるようにしている。なお、抵抗Ｒ１２の抵抗値を大きくすると、コルピッツ型発振器のタンク回路にエネルギーが蓄えられにくくなり、発振の立上りが遅くなる。従って、発振の立上りと立下りを考慮して、抵抗Ｒ１２の抵抗値を決める必要がある。
【００２２】
次に、図２の変調信号発生器１１から出力される変調信号と、抵抗Ｒ１３に出力される発振信号とについて説明する。
図３は、変調信号と発振信号の波形を示した図である。図の下側の波形は、変調信号発生器１１から出力される変調信号を示している。上側の波形は、図２の抵抗Ｒ１３に出力される発振信号を示している。
【００２３】
図の下側の波形に示すように変調信号がＬレベルになると、図２のトランジスタＭ１１のソースはグランド電圧に引っ張られ、これにより、図２のコルピッツ型発振器はオンする。そして、図３の上側の波形に示すように抵抗Ｒ１３に発振信号を出力する。また、変調信号がＨレベルになると、図２のコルピッツ型発振器はオフして、図３の上側の波形に示すように抵抗Ｒ１３に発振信号を出力しなくなる。
【００２４】
このように、変調信号に応じてコルピッツ型発振器の電源をオン／オフし、発振信号を適宜送信するので、電力効率を改善することができる。
また、発振器を高速の発振器で実現して発振信号の立上りを速やかにし、抵抗Ｒ１２によって発振信号の立下りを速やかにすることにより、図３に示したように数ｎｓの間に発振信号を出力することが可能となり、発振信号の高速化を図ることができる。
【００２５】
また、インパルス無線では、ジャンクションの容量にエネルギーを蓄えて放電し、短いパルスを生成するステップリカバリーダイオードや、高速の乗算回路を用いて単一パルスを一旦生成し、これを帯域フィルタに通して送信信号を得ることが行われ、電力効率が低い。また、ステップリカバリーダイオードなどを用いるため、特殊な半導体プロセスを要する。これに対し、図２では、コルピッツ型発振器により発振信号を生成することにより、電力効率を改善し、特殊な半導体プロセスを要することなく、無線通信装置を実現することができる。
【００２６】
次に、本発明の第２の実施の形態を、図面を参照して詳細に説明する。第２の実施の形態では、図２で示したコルピッツ型発振器の負性抵抗が多段接続されている。
図４は、第２の実施の形態に係る無線通信装置の回路図である。図に示す抵抗Ｒ２１〜Ｒ２３、コンデンサＣ２１〜Ｃ２７、トランジスタＭ２１〜Ｍ２３、およびコイルＬ２１は、負性抵抗が３段に接続されたコルピッツ型発振器を構成している。図において、トランジスタＭ２１とコンデンサＣ２４、トランジスタＭ２２とコンデンサＣ２５、およびトランジスタＭ２３とコンデンサＣ２６が、それぞれ負性抵抗を構成している。抵抗Ｒ２１〜Ｒ２３には、それぞれバイアス電圧Ｖｂ１〜Ｖｂ３が入力される。
【００２７】
なお、抵抗Ｒ２４は、発振信号の立下りを速やかにするための抵抗であり、図２の抵抗Ｒ１２に対応する。コンデンサＣ２８と抵抗Ｒ２５は、図２のコンデンサＣ１４と抵抗Ｒ１３に対応する。変調信号発生器２１は、変調信号を出力し、Ｌレベルの変調信号によって、トランジスタＭ２１〜Ｍ２３をオンする。
【００２８】
図４に示すコルピッツ型発振器の発振周波数は、次の式（３）で示される。
ｆ＝１／｛２π（ＬＣ）1/2｝……（３）
ただし、ＬはコイルＬ２１のインダクタンスである。ＣはコンデンサＣ２４〜Ｃ２７の容量値をＣ１〜Ｃ３，Ｃｃとすると次の式（４）で示される。
【００２９】
Ｃ＝１／｛（１／Ｃ１）＋（１／Ｃ２）＋（１／Ｃ３）＋（１／Ｃｃ）｝……（４）
次に、図４の変調信号発生器２１から出力される変調信号と、抵抗Ｒ２５に出力される発振信号とについて説明する。
【００３０】
図５は、変調信号と発振信号の波形を示した図である。図の下側の波形は、変調信号発生器２１から出力される変調信号を示している。上側の波形は、図４の抵抗Ｒ２５に出力される発振信号を示している。
【００３１】
図の下側の波形に示すように変調信号がＬレベルになると、図４のトランジスタＭ２１〜Ｍ２３のソース電圧は下がる。これにより、図４のコルピッツ型発振器はオンする。そして、図５の上側の波形に示すように抵抗Ｒ２５に発振信号を出力する。また、変調信号がＨレベルになると、図４のコルピッツ型発振器はオフして、図５の上側の波形に示すように抵抗Ｒ２５に発振信号を出力しなくなる。
【００３２】
このように、多段の負性抵抗によって利得を大きくして高速のコルピッツ型発振器を実現し、発振信号の立上りを速やかにし、抵抗Ｒ２４によって発振信号の立下りを速やかにすることにより、図５に示したように数ｎｓの間に発振信号を出力することが可能となる。
【００３３】
次に、本発明の第３の実施の形態を、図面を参照して詳細に説明する。第３の実施の形態では、発振器がマルチバイブレータで構成されている。
図６は、第３の実施の形態に係る無線通信装置の回路図である。図に示すように無線通信装置は、遅延回路３１、負荷３２，３３、共振器３４、トランジスタＭ３１，Ｍ３２、抵抗Ｒ３１、および変調信号発生器３５を有している。
【００３４】
トランジスタＭ３１，Ｍ３２は、例えば、ＭＥＳＦＥＴやＨＥＭＴのトランジスタである。トランジスタＭ３１，Ｍ３２は、互いのゲートが互いのドレインに接続され、クロスカップルドインバータを構成している。トランジスタＭ３１，Ｍ３２のドレインは、例えば、抵抗である負荷３２，３３を介して、電源Ｖｄｄに接続されている。トランジスタＭ３１，Ｍ３２のドレイン間には、共振器３４が接続され、トランジスタＭ３１，Ｍ３２のソース間には、遅延回路３１が接続されている。共振器３４は、例えば、ＬＣの並列回路、誘電体共振器、トランスミッションライン等で実現することができる。トランジスタＭ３１のソースは、抵抗Ｒ３１と変調信号発生器３５を介して、グランドに接続される。なお、トランジスタＭ３１，Ｍ３２は、ＨＢＴのトランジスタであってもよい。
【００３５】
トランジスタＭ３１，Ｍ３２、遅延回路３１、負荷３２，３３、共振器３４は、２つのトランジスタＭ３１，Ｍ３２が交互に作動することによって発振信号を出力する平衡型発振器のマルチバイブレータを構成している。マルチバイブレータは、共振器３４の共振周波数によって発振周波数が決まる。例えば、共振器３４がＬＣの並列回路で構成されている場合、発振周波数は、前述した式（１）で示される。
【００３６】
遅延回路３１は、トランジスタＭ３１がオンした後、発振周波数の半周期遅れてからトランジスタＭ３２がオンするように遅延を設定する。これにより、Ｌレベルの変調信号によってトランジスタＭ３１がオンした後、発振周波数の半周期遅れてからトランジスタＭ３２にオンし、マルチバイブレータに大きな発振の種が発生して、急速に発進を開始することができる。
【００３７】
このように、遅延回路３１によってマルチバイブレータに大きな発振の種を発生させ、発振信号の立上りを速やかにし、抵抗Ｒ３１によって発振信号の立下りを速やかにすることにより、発振周波数の高速化を可能にすることができる。
【００３８】
次に、本発明の第４の実施の形態を、図面を参照して詳細に説明する。第４の実施の形態では、トランスミッションラインを共振器として用いた発振器で構成されている。ここで、トランスミッションラインとは、マイクロストリップライン、コプレーナライン、同軸ケーブル、導波管、マイクロ波〜ミリ波の伝搬に用いられる経路を指す。
【００３９】
図７は、第４の実施の形態に係る無線通信装置の回路図である。図に示すように無線通信装置は、スタブｓ１，ｓ２、トランスミッションラインｔ１〜ｔ６、抵抗Ｒ４１〜Ｒ４３、トランジスタＭ４１，Ｍ４２、およびドライバ４１を有している。
【００４０】
トランジスタＭ４１，Ｍ４２は、例えば、ＭＯＳ、ＭＥＳＦＥＴやＨＥＭＴ、ＨＢＴ、ＢＪＴ等のトランジスタである。トランジスタＭ４１，Ｍ４２のゲートは、トランスミッションラインｔ３，ｔ４を介して互いに接続されている。トランスミッションラインｔ３，ｔ４の接続点には、抵抗Ｒ４１が接続され、ゲート電圧Ｖｇが入力される。抵抗Ｒ４１は、コモンモード電力を吸収し、トランジスタＭ４１，Ｍ４２においてバランスのとれた発振が行われるようにしている。
【００４１】
トランジスタＭ４１，Ｍ４２のドレインには、トランスミッションラインｔ１，ｔ２が接続されている。トランスミッションラインｔ１，ｔ２は、抵抗Ｒ４２，Ｒ４３を介して互いに接続されている。抵抗Ｒ４２，Ｒ４３の接続点には、スタブｓ１を介して電源Ｖｄｄが入力されている。スタブｓ１は負荷を構成し、抵抗Ｒ４２，Ｒ４３の接続点の信号が電源Ｖｄｄに通らないようにしている。抵抗Ｒ４２，Ｒ４３は、０〜数十Ωの値を持ち、発振を安定化するために用いられる。
【００４２】
トランジスタＭ４１，Ｍ４２のソースは、トランスミッションラインｔ５を介して互いに接続されている。また、トランジスタＭ４１のソースには、トランスミッションラインｔ６が接続され、ドライバ４１とスタブｓ２とが接続されている。スタブｓ２は、オープンスタブであり、反射する信号を吸収する。なお、スタブｓ２は省略してもよい。
【００４３】
ドライバ４１は、パルス信号である変調信号Ｐが入力される。ドライバ４１は入力される変調信号Ｐを増幅し、抵抗Ｒ４４（出力インピーダンス）を介してトランスミッションラインｔ６に出力する。なお、ドライバ４１の抵抗Ｒ４４は、図１で示した抵抗Ｒ１に対応し、発振信号の立下りが速やかに行われるようにしている。よって、抵抗Ｒ４４が目標とする抵抗値とならない場合には、ドライバ４１の外部に抵抗を付加するようにする。また、ドライバ４１を図１，２，４，６で示したパルス信号発生器２、変調信号発生器１１，２１，３５に適用することもできる。
【００４４】
トランジスタＭ４１，Ｍ４２、トランスミッションラインｔ１〜ｔ６、スタブｓ１，ｓ２、抵抗Ｒ４１〜Ｒ４３は、２つのトランジスタＭ４１，Ｍ４２が交互に作動することによって発振信号を出力する平衡型の発振器を構成している。図の無線通信装置の出力は、抵抗Ｒ４２，Ｒ４３の接続点から取り出され、その発振信号の周波数ｆは、トランスミッションラインｔ３，ｔ４の電気長によって決まる。発振信号の周波数ｆにおける波長をλとすると、トランスミッションラインｔ３，ｔ４の電気長はおよそλとなる。
【００４５】
スタブｓ１の電気長は、周波数ｆの発振信号が通らないようにλ／４となる。スタブｓ２の電気長は、トランジスタＭ４１，Ｍ４２では、周波数ｆ／２で発振し、抵抗Ｒ４２，Ｒ４３の接続点でパワー合成され、周波数ｆの発振信号として取り出されるので、反射する周波数ｆ／２の信号を吸収できるようにλ／２となる。なお、図７の無線通信装置と同様に平衡型発振回路の２つの出力から発振周波数の２倍の周波数出力を得る回路として、例えば、Franz X. Sinnesbichler,"Hybrid Millimeter-Wave Push Oscillators Using Silicon Germanium HBTs.",pp422-430,IEEE TRANSACTION ON MICROWAVE THEORY AND TECHNIQUES,VOL.51,NO.2,FEBRUARY 2003に報告されている。
【００４６】
トランスミッションラインｔ５は遅延線を構成している。トランスミッションラインｔ５の電気長は、周波数ｆ／２で発振するトランジスタＭ４１がドライバ４１によってオンすると、トランジスタＭ４２が半波長ずれてオンするようにλとする。これにより、無線通信装置には、大きな発振の種が発生して、急速に発進を開始することができる。
【００４７】
発振開始時には、トランスミッションラインｔ５はトランスミッションラインｔ１，ｔ２とともに、補助的な共振器として働く。抵抗Ｒ４１をスタブｓ１と同様のλ／４のショートスタブとすることもできる。また、トランスミッションラインｔ３，ｔ４の接続点から出力を得ることもできる。
【００４８】
このように、トランスミッションラインｔ５によって無線通信装置に大きな発振の種を発生させ、発振信号の立上りを速やかにし、抵抗Ｒ４４によって発振信号の減衰を速やかにすることにより、変調の高速化をすることができる。
【００４９】
なお、無線通信装置とドライバ４１は別々の半導体チップで構成することもできる。例えば、ドライバ４１をＣＭＯＳ（Complementary Metal Oxide Semiconductor）のＬＳＩ（Large Scale Integration）で構成し、無線通信装置をＢＬＶＤＳ（Bus Low Voltage Differential Signaling）で駆動することができる。ＢＬＶＤＳはブレードサーバ等のバックプレーンに使用するバス規格であるので、専用のＣＭＯＳ、ＬＳＩ以外にもドライバ４１をＦＰＧＡ（Field Programmable Gate Array）や汎用ＶＬＳＩ（Very Large Scale Integration）に搭載し、利用することもできる。
【００５０】
また、ＣＭＯＳのプロセス・設計技術の進歩により、高速バスを直接駆動できるようになった。これにより、ＣＭＯＳのＬＳＩに、図１，２，４，６，７に示した無線通信装置とのインターフェースを与えることができ、ＬＳＩ間の無線通信や車載レーダに使用することができる。
【００５１】
また、光通信の分野では、レーザダイオードの直接変調により１０Ｇｂｐｓを超える発振開始／停止による通信が可能になっている。電子的な発振回路の開始と停止による変調の高速化は、光の場合に比べて発振品質との兼ね合いになる傾向が強く、これまでの細分化された個々の周波数帯域の中で使用することはあまり考えられてこなかった。近年の多機能・高速通信への要求とともに、ＵＷＢに代表される広い周波数帯域を用いた無線通信が可能になりつつあり、図１，２，４，６，７に示した無線通信装置は、これを実現できるばかりでなく、光通信にも迫る通信速度を提供できる。
【００５２】
（付記１）  発振信号を出力する発振信号出力装置において、
電力の供給に応じて前記発振信号を出力する発振器と、
前記発振器と前記電力を供給する電源の間に接続される抵抗と、
前記発振器と前記電源の間に接続され、パルス信号に応じて前記発振器に前記電力が供給されるようにするパルス信号発生器と、
を有することを特徴とする発振信号出力装置。
【００５３】
（付記２）  前記発振器は、コルピッツ型発振器であることを特徴とする付記１記載の発振信号出力装置。
（付記３）  前記発振器は、負性抵抗が多段接続されたコルピッツ型発振器であることを特徴とする付記１記載の発振信号出力装置。
【００５４】
（付記４）  前記発振器は、２つのトランジスタが交互に作動することによって前記発振信号を出力する平衡型発振器であり、
前記２つのトランジスタの間には、前記２つのトランジスタが前記発振信号の半周期ずれて作動するための遅延回路が接続されていることを特徴とする付記１記載の発振信号出力装置。
【００５５】
（付記５）  前記平衡型発振器は、マルチバイブレータであることを特徴とする付記４記載の発振信号出力装置。
（付記６）  前記平衡型発振器の素子の一部および前記遅延回路は、トランスミッションラインによって構成されていることを特徴とする付記４記載の発振信号出力装置。
【００５６】
（付記７）  前記平衡型発振器は、前記２つのトランジスタによって出力される前記発振信号を合成して倍の周波数の発振信号を得ることを特徴とする付記４記載の発振信号出力装置。
【００５７】
（付記８）  前記抵抗は、前記パルス信号発生器の出力インピーダンスに含まれることを特徴とする付記１記載の発振信号出力装置。
（付記９）  無線信号を出力する無線信号出力装置において、
電力の供給に応じて前記無線信号を出力する発振器と、
前記発振器と前記電力を供給する電源の間に接続される抵抗と、
前記発振器と前記電源の間に接続され、変調信号に応じて前記発振器に前記電力が供給されるようにする変調信号発生器と、
を有することを特徴とする無線信号出力装置。
【図面の簡単な説明】
【００５８】
【図１】発振信号出力装置の概要を示した図である。
【図２】第１の実施の形態に係る無線通信装置の回路図である。
【図３】変調信号と発振信号の波形を示した図である。
【図４】第２の実施の形態に係る無線通信装置の回路図である。
【図５】変調信号と発振信号の波形を示した図である。
【図６】第３の実施の形態に係る無線通信装置の回路図である。
【図７】第４の実施の形態に係る無線通信装置の回路図である。
【符号の説明】
【００５９】
１  発振器
２  パルス信号発生器
Ｒ１  抵抗
Ｖｄｄ  電源
【図１】
2007028154.tif 000003
【図２】
2007028154.tif 000004
【図３】
2007028154.tif 000005
【図４】
2007028154.tif 000006
【図５】
2007028154.tif 000007
【図６】
2007028154.tif 000008
【図７】
2007028154.tif 000009